(57)【要約】【課題】不耕起状態の圃場を部分的に耕起して播種作業を行うことができる部分耕耘直播装置において、播種作業と同時に耕耘ユニットの側方位置に排水溝を形成することによって、圃場における排水溝形成作業の省力化と排水性の向上を図る。【解決手段】部分耕耘直播装置１を構成する耕耘ユニット２の左右一側の側方且つ前方位置に、該耕耘ユニット２の側方に排水溝Ｄ２を形成する溝切り装置４３を設けると共に、該溝切り装置４３によって耕耘ユニット２の内側方向へ押し遣られる土を均平化すべく、前記溝切り装置４３に対応する耕耘軸１２の端部側に均し装置５１を設けた。【選択図】図３
2010119375.tif 000002
【特許請求の範囲】
【請求項１】
耕耘軸（１２）の軸方向に所定の播種条間を存して複数本の耕耘爪（１１）を取り付け、該耕耘爪（１１）により不耕起状態の圃場（Ｆ）に耕起溝（Ｄ１）を形成し、且つ耕耘爪（１１）の後方に放擲される土塊を捕集して前記耕起溝（Ｄ１）上に播種床を形成する耕耘ユニット（２）と、該耕耘ユニット（２）の後方に、前記播種床に播種溝を形成する溝切り装置（１９）と、前記播種溝に播種する播種装置（１７）と、播種した後の播種溝に覆土する覆土装置（２１）を備える播種ユニット（６）を設けた部分耕耘直播装置において、前記耕耘ユニット（２）の左右一側の側方且つ前方位置に、該耕耘ユニット（２）の側方に排水溝（Ｄ２）を形成する溝切り装置（４３）を設けたことを特徴とする部分耕耘直播装置。
【請求項２】
前記溝切り装置（４３）に対応する耕耘軸（１２）の端部側に均し装置（５１）を設けた請求項１に記載の部分耕耘直播装置。
【請求項３】
前記均し装置（５１）を籠ロータ状に形成すると共に、その外周部を構成する複数の均し部材（５３）を耕耘ユニット（２）の中央部側へ向けて土押し可能な傾斜配列とした請請求項２に記載の部分耕耘直播装置。
【発明の詳細な説明】
【技術分野】
【０００１】
本発明は、不耕起状態の圃場を部分的に耕起して播種を行うことができる部分耕耘直播装置に関する。
【背景技術】
【０００２】
従来、不耕起状態の圃場を部分的に耕耘して播種や施肥を行う部分耕耘直播装置は、トラクタ等の機体後部に備える昇降リンク機構を介して昇降自在に連結されると共に、当該部分耕耘直播装置は、昇降リンク機構のトップリンク及びロアリンクに連結した耕耘ユニットと、この耕耘ユニットから後方に突出するツールバーに、平行リンク機構を介して昇降自在に連結した施肥播種ユニットから構成されている。
【０００３】
そして、上記耕耘ユニットは、機体側からＰＴＯ動力が入力されるギヤケース、該ギヤケースから左右に突出する筒フレーム、該筒フレームの左右両端から下方に突出するサイドフレーム、左右のサイドフレーム間に回動可能に支承した耕耘軸（爪軸）、及び該耕耘軸の軸方向に所定の播種条間隔を存して複数本の耕耘爪を放射状に取り付けた耕耘部を備え、当該耕耘爪を回転駆動させることによって不耕起状態の圃場に耕起溝を形成すると共に、耕耘爪の後方に放擲される土塊を整地体により捕集して耕起溝上に播種床を形成するようになっている。
【０００４】
また、耕耘ユニットの後方に設けられる施肥播種ユニットは、播種床に播種溝を形成する溝切り刃と、肥料ホッパを備えて播種溝の側方に肥料を施肥する施肥装置と、種子ホッパを備えて播種溝に種子を播種する施肥装置と、種子を播種した後の播種溝に覆土する覆土板と、覆土した播種溝の上部を押圧整地する鎮圧ローラ等を備えている（例えば、特許文献１参照）。
【特許文献１】特開２００８−１４８６６７号（第３−４頁、図１、図２）
【発明の開示】
【発明が解決しようとする課題】
【０００５】
ところが、上述した従来の部分耕耘直播装置では、梅雨時期のように土壌の含水率が高い時や直播作業を行った後に強い雨が降った場合は、種子の播種床を形成する耕起溝に浸入した雨水が排水されずに溜まり易く、この雨水に種子が長時間浸漬されると酸欠状態となり、発芽する直前の種子が腐ってしまうといった重大な不具合が発生する。特に、播種する種子が大豆の場合は、前記不具合の発生が顕著である。
【０００６】
そこで、１ヘクタール（ｈａ）以上の大区画圃場Ｆにおいては、図７に示すように、圃場Ｆの内側周縁に額縁排水溝（明渠：幅２０〜３０ｃｍ×深さ３０ｃｍ）Ａ１〜Ａ４を設けると共に、更に１０．８ｍ間隔の排水溝、即ち播種幅６条（３０ｃｍ間隔）×６行程毎に１本の圃場内排水溝（明渠：幅２０〜３０ｃｍ×深さ３０ｃｍ）Ｂ１〜Ｂ３を溝堀機等で掘削し、これら圃場内排水溝Ｂ１〜Ｂ３が連通する額縁排水溝Ａ１を、排水口Ｃ１〜Ｃ３を介して基幹排水路に連通させるといった排水対策を一般的に行なっているが未だ十分なものではなかった。
【課題を解決するための手段】
【０００７】
本発明は、上記課題を解決することを目的としたものであって、耕耘軸の軸方向に所定の播種条間を存して複数本の耕耘爪を取り付け、該耕耘爪により不耕起状態の圃場に耕起溝を形成し、且つ耕耘爪の後方に放擲される土塊を捕集して前記耕起溝上に播種床を形成する耕耘ユニットと、該耕耘ユニットの後方に、前記播種床に播種溝を形成する溝切り装置と、前記播種溝に播種する播種装置と、播種した後の播種溝に覆土する覆土装置を備える播種ユニットを設けた部分耕耘直播装置において、前記耕耘ユニットの左右一側の側方且つ前方位置に、該耕耘ユニットの側方に排水溝を形成する溝切り装置を設けたことを第１の特徴としている。
そして、前記溝切り装置に対応する耕耘軸の端部側に均し装置を設けたことを第２の特徴としている。
更に、前記均し装置を籠ロータ状に形成すると共に、その外周部を構成する複数の均し部材を耕耘ユニットの中央部側へ向けて土押し可能な傾斜配列としたことを第３の特徴としている。
【発明の効果】
【０００８】
請求項１の発明によれば、耕耘ユニットの後方に播種ユニットを設けた部分耕耘直播装置において、前記耕耘ユニットの左右一側の側方且つ前方位置に、該耕耘ユニットの側方に排水溝を形成する溝切り装置を設けたことによって、部分耕耘直播装置による播種作業を行ないながら、耕耘ユニットの側方位置に排水溝を同時に形成することができるので、圃場における排水溝形成作業の省力化が図れる。
そして、請求項２の発明によれば、前記溝切り装置に対応する耕耘軸の端部側に均し装置を設けたことによって、当該溝切り装置により耕耘ユニットの内側方向へ押し遣られる土を均し装置で以って均平化することができるので、耕耘爪により形成される耕起溝の深さが安定し、且つ部分耕耘直播装置が播種作業中に多少蛇行したとしても播種溝に対する覆土不良も起こり難い。
更に、請求項３の発明によれば、前記均し装置を籠ロータ状に形成すると共に、その外周部を構成する複数の均し部材を耕耘ユニットの中央部側へ向けて土押し可能な傾斜配列としたので、溝切り装置によって耕耘ユニットの内側方向へ押し遣られる土を、当該均し部材でもって耕耘ユニットの中央部側へ向けて押し流して良好に均平化させることができる。
【発明を実施するための最良の形態】
【０００９】
次に、本発明の実施の形態を図面に基づいて説明する。図１及び図２は、トラクタ等の牽引走行車に備える昇降リンク機構を介して連結される部分耕耘直播装置１の側面図と一部を省略した左右一側の平面図であり、また図３は、部分耕耘直播装置１の一部を省略した左右一側（左側）の正面図であって、部分耕耘直播装置１は、前記昇降リンク機構に着脱可能に連結される耕耘ユニット２と、この耕耘ユニット２から後方に突出するツールバー３に、ホルダ４及び平行リンク機構５を介して昇降可能に連結した播種ユニット６を備えている。
【００１０】
そして、耕耘ユニット２は、牽引走行車の機体側からＰＴＯ動力が入力されるギヤケース７と、このギヤケース７の左右の両側には、耕耘ユニット２の横伝動筒を兼ねる筒状アーム８を備え、左側の筒状アーム８の外端（左端側）には伝動ケースであるチェンケース９、一方図示しない右側の筒状アーム８の外端（右端側）にはサイドプレートを固設すると共に、所定の播種条間を存して複数本の耕耘爪１１を放射状に螺設した耕耘軸（筒軸）１２をチェンケース９とサイドプレートの間に回転可能に支承することによって、所謂サイドドライブ方式の伝動機構を構成している。そして、耕耘ユニット２の後方には、耕深調節用の尾輪１３をツールバー３に支持している。
【００１１】
一方、播種ユニット６は、播種条毎に肥料を収容する肥料ホッパ１４を備えて図示しない播種溝の側方に肥料を施肥する施肥装置１５と、種子ホッパ１６を備えて播種溝に種子を播種する播種装置１７と、両ホッパ１４，１６内から肥料や種子を播種溝に向けて繰り出すスライドロール式の繰出装置１８と、播種溝を形成（作溝）する溝切り手段である溝切り刃１９、更に種子を播種した後の播種溝に覆土する覆土手段である覆土板２１、播種溝の上部を押圧する鎮圧手段である鎮圧ローラ２２及び接地輪２３等を備えている。
【００１２】
更に詳しく説明すると、上述したギヤケース７に入力されるＰＴＯ動力は、チェンケース９を介して耕耘軸１２に伝達されるようになっており、この耕耘軸１２の軸方向に所定の播種条間を存して放射状に螺設した複数本の耕耘爪１１を、部分耕耘直播装置１が牽引されるトラクタ等の車輪と同一の回転方向（正転方向）、即ち図中Ｅ矢印方向に回転駆動させることにより、不耕起状態の圃場Ｆにおいて、種子の播種位置のみを部分耕起して幅狭な耕起溝Ｄ１（図３参照）を形成できるようになっている。
【００１３】
また、上述した耕耘爪１１の上方を覆う側面視で円弧状に形成したロータリカバー２５
を設けると共に、このロータリカバー２５後端の図示しない支点を回動中心として上下回動可能なリヤカバー２６を設けてあり、両カバー２５，２６によって耕耘ユニット２の略全幅を覆っている。そして、リヤカバー２６は、ロータリカバー２５に設けた支持部材２５ａに連結するロッド２７を介して上下高さ位置（回動高さ位置）を調節することができるようになっている。
【００１４】
そして、正回転駆動する耕耘爪１１により耕起破砕された土塊は耕耘爪１１の後方に放擲されるので、その土塊を効率よく捕集して耕起溝Ｄ１上に適切な播種床を形成すべく、耕耘爪１１の後方側を覆う整地体２８をリヤカバー２６の下面側に押し当てた状態でナット２９を用いて螺設できるように構成している。更に詳しく説明すると、整地体２８は耕耘爪１１の後方側を覆ってその後端側が徐々に狭くなるコの字の土塊捕集形状に形成すると共に、その左右両側片２８ａ，２８ａの下側を広幅となるように形成した鋼板からなり、このような形状によって、耕耘爪１１の後方に放擲される土塊の飛散を抑制しながら当該土塊を効率的に捕集して適切な播種床を形成できるようにしている。
【００１５】
また、耕耘ユニット２の横伝動筒を兼ねる左側の筒状アーム８の外端部近傍には、該耕耘ユニット２の前方に延出する第１ホルダ３１を螺設している。この第１ホルダ３１の基端部は、側面視で略Ｌ字状（断面）に曲げ形成した装着部材３１ａからなり、該装着部材３１ａと同形状の締結部材３２により筒状アーム８を挟持した状態でボルト３３とナット３４を用いて螺設されている。そして、装着部材３１ａには、耕耘ユニット２の前方に向く角パイプ３１ｂを固設すると共に、該角パイプ３１ｂの先端に直交する角パイプ３１ｃを一体的に固設することによって第１ホルダ３１を形成している。
【００１６】
更に、チェンケース９の内側面には、支持プレート３５が螺設してあり、この支持プレート３５を介して耕耘ユニット２の前方に延出するプレート状の第２ホルダ３６を螺設している。そして、第２ホルダ３６の先端側（前側）には、第１ホルダ３１の先端部を構成する角パイプ３１ｃの内径形状と略同一な図示しない方形の貫通孔を設けてあり、該貫通孔と第１ホルダ３１の先端部を構成する角パイプ３１ｃによってステー３７を強固に挿通支持している。
【００１７】
更に詳しく説明すると、ステー３７は、その基端部側である角パイプ３７ａを、第１ホルダ３１の先端部を構成する角パイプ３１ｃに挿通した状態でボルト３８とロックナット３９により位置決め固定されている。そして、角パイプ３７ａの先端には、平面視でチェンケース９の外側、即ち耕耘ユニット２の側方に該耕耘ユニット２の前後方向に向く丸パイプ３７ｂを突設してある。
【００１８】
そして、ステー３７の先端部側を構成する丸パイプ３７ｂには、パイプ材からなる側面視でＬ字状のジョイント４１を挿通支持している。即ち、ジョイント４１は、その基部側を構成する水平方向の長尺丸パイプ４１ａと、先端部側を構成する垂直方向の短尺丸パイプ４１ｂとを一体的に固設したものであり、前記長尺丸パイプ４１ａをステー３７の先端部側を構成する丸パイプ３７ｂに挿通支持すると共に、両丸パイプ４１ａ，３７ｂに穿設した複数の位置決め孔Ｈ１を任意に位置合わせし、しかる後にクレビスピン４２を用いて位置決め固定することによって当該ジョイント４１の前後位置を調節できるように構成している。
【００１９】
一方、ジョイント４１の先端部側を構成する垂直方向の短尺丸パイプ４１ｂは、本発明の溝切り装置である円盤状の溝切り刃４３の支持部を構成する縦パイプ４４を挿通せしめると共に、前記短尺丸パイプ４１ｂと縦パイプ４４に穿設した複数の位置決め孔Ｈ２を任意に位置合わせし、しかる後にクレビスピン４５を用いて位置決め固定することによって当該溝切り刃４３の高さ位置を調節できるように構成している。
【００２０】
即ち、溝切り刃４３は、図２及び図３に示すように前開き姿勢で固定してあり、部分耕耘直播装置１による播種作業を行ないながら、耕耘ユニット２の左右一側（本実施例では左側）の側方に比較的浅い排水溝Ｄ２を形成することができるようになっている。そして、この時、溝切り刃４３によって排水溝Ｄ２を形成することにより、耕耘ユニット２の内側方向へ土が押し遣られるが、その一部は、耕耘ユニット２の側方へ流出しようとするので、その対策として耕耘ユニット２の側板４６から溝切り刃４３の近傍まで前方に延出させたサイドプレート４７を設けている。
【００２１】
また、上述した溝切り刃４３に対応する耕耘軸１２の端部側（左側）には、溝切り刃４３によって耕耘ユニット２の内側方向へ押し遣られる土を均平化すべく均し装置５１を設けている。この均し装置５１は、耕耘爪１１を放射状に螺設すべく耕耘軸１２に固設されているホルダ１２ａを利用して共締め装着してあり、その外形は、籠ロータ状に形成されている。
【００２２】
更に詳しく説明すると、均し装置５１は、二分割形成されており、その具体的な構成は図４に示すように、半円弧状の左右の取り付け板５２ａ，５２ｂの外周にプレート状の均し部材５３を所定の間隔で複数個固設したものであり、左右の取り付け板５２ａ，５２ｂには、ホルダ１２ａへ共締めするための取り付け孔Ｈ３を設けている。このように二分割形成された均し装置５１の構成部材を耕耘軸１２のホルダ１２ａに一体的に共締めすることによって、上述した籠ロータ状の均し装置５１を形成している。また、均し装置５１の外周部を構成する複数の均し部材５３は、図中Ｇ矢印方向、即ち耕耘ユニット２の中央部側へ向けて土押し可能な傾斜配列としている。
【００２３】
以上説明したように、耕耘ユニット２の後方に播種ユニット６を設けた部分耕耘直播装置１において、前記耕耘ユニット２の左右一側の側方且つ前方位置に、該耕耘ユニット２の側方に排水溝Ｄ２を形成する溝切り刃（溝切り装置）４３を設けると共に、この溝切り刃４３によって耕耘ユニット２の内側方向へ押し遣られる土を均平化すべく、前記溝切り刃４３に対応する耕耘軸１２の端部側に均し装置５１を設けたことによって、部分耕耘直播装置１による播種作業を行ないながら、耕耘ユニット２の左右一側の側方位置に比較的浅い排水溝Ｄ２を同時に形成することができるので、圃場Ｆにおける排水溝形成作業の省力化が図れる。
【００２４】
即ち、図５に示す１ヘクタール（ｈａ）以上の大区画圃場Ｆのように、該圃場Ｆの内側周縁に額縁排水溝（明渠：幅２０〜３０ｃｍ×深さ３０ｃｍ）Ａ１〜Ａ４を設けると共に、更に播種幅６条（３０ｃｍ間隔）×６行程毎に相当する１０．８ｍ間隔の圃場内排水溝（明渠：幅２０〜３０ｃｍ×深さ３０ｃｍ）Ｂ１〜Ｂ３が設けられている圃場Ｆにおいては、前記１０．８ｍ間隔にある額縁排水溝Ａ２と圃場内排水溝Ｂ１、圃場内排水溝Ｂ１と圃場内排水溝Ｂ２、圃場内排水溝Ｂ２と圃場内排水溝Ｂ３、及び圃場内排水溝Ｂ３と額縁排水溝Ａ４の間に、播種幅６条（３０ｃｍ間隔）×２行程毎に相当する３．６ｍ間隔の排水溝Ｄ２（幅１５ｃｍ×深さ１０ｃｍ）を播種作業と同時に形成することができると共に、これら複数の排水溝Ｄ２によって圃場Ｆ全体の排水性が一段と向上する。
【００２５】
しかもこの時、溝切り刃（溝切り装置）４３によって耕耘ユニット２の内側方向へ押し遣られる土を均し装置５１で以って均平化することができるので、耕耘爪１１により形成される耕起溝Ｄ１の深さが安定し、且つ部分耕耘直播装置１が播種作業中に多少蛇行したとしても播種溝に対する覆土不良も起こり難い。つまり、均し装置５１を籠ロータ状に形成すると共に、その外周部を構成する複数の均し部材５３を耕耘ユニット２の中央部側へ向けて土押し可能な傾斜配列としたので、溝切り刃４３よって耕耘ユニット２の内側方向へ押し遣られる土を、当該均し部材５３で以って耕耘ユニット２の中央部側へ向けて押し流して良好に均平化させることができる。
【００２６】
また、図６に示す部分耕耘直播装置１の一部を省略した正面図のように、耕耘ユニット２の左右両側方の前方に溝切り刃（溝切り装置）４３，４３を設けると共に、左右の溝切り刃４３，４３に対応する耕耘軸１２の両端部側に均し装置５１，５１を設けてもよく、このように構成すると播種作業中における部分耕耘直播装置１の直進安定性が向上すると共に、当該部分耕耘直播装置１による播種作業の往復行程において、耕耘ユニット２の左右一側の側方に溝切り刃４３を設けたものと比べて広幅な排水溝（Ｄ２×２）を連続して形成できる利点がある。
【図面の簡単な説明】
【００２７】
【図１】部分耕耘直播装置の側面図。
【図２】部分耕耘直播装置の左右一側（左側）の一部省略平面図。
【図３】部分耕耘直播装置の左右一側（左側）の一部省略正面図。
【図４】均し装置の構成を示す正面図と側面図。
【図５】本発明の圃場における排水溝の形成行程を示す模式図。
【図６】部分耕耘直播装置の一部省略正面図。
【図７】従来の圃場における排水溝の形成行程を示す模式図。
【符号の説明】
【００２８】
１    部分耕耘直播装置
２    耕耘ユニット
６    播種ユニット
１１  耕耘爪
１２  耕耘軸
１７  播種装置
１９  溝切り装置
２１  覆土装置
４３  溝切り装置
５１  均し装置
５３  均し部材
Ｄ１  耕起溝
Ｄ２  排水溝
Ｆ    圃場
【図１】
2010119375.tif 000003
【図２】
2010119375.tif 000004
【図３】
2010119375.tif 000005
【図４】
2010119375.tif 000006
【図５】
2010119375.tif 000007
【図６】
2010119375.tif 000008
【図７】
2010119375.tif 000009